(57)【特許請求の範囲】
【請求項１】
受信側に対して画像信号を送信する送信装置において、
前記画像信号を生成する第１の生成手段と、
ＥＰＧを生成する第２の生成手段と、
前記ＥＰＧを提供している放送局を示す情報を生成する第３の生成手段と、
前記第１の生成手段によって生成された前記画像信号に対して、前記第２の生成手段により生成されたＥＰＧと、前記第３の生成手段によって生成された放送局を示す情報とを付加する付加手段と、
前記付加手段によって、前記画像信号に対して前記ＥＰＧと放送局を示す情報とが付加された信号を前記受信側に対して送信する送信手段と
を備えることを特徴とする送信装置。
【請求項２】
受信側に対して画像信号を送信する送信方法において、
前記画像信号を生成する第１の生成ステップと、
ＥＰＧを生成する第２の生成ステップと、
前記ＥＰＧを提供している放送局を示す情報を生成する第３の生成ステップと、
前記第１の生成ステップによって生成された前記画像信号に対して、前記第２の生成ステップによって生成されたＥＰＧと、前記第３の生成ステップによって生成された放送局を示す情報とを付加する付加ステップと、
前記付加ステップによって前記画像信号に対して前記ＥＰＧと放送局を示す情報とが付加された信号を前記受信側に対して送信する送信ステップと
を備えることを特徴とする送信方法。
【請求項３】
受信側に対して画像信号を送信する送信処理をコンピュータに実行させるプログラムにおいて、
前記画像信号を生成する第１の生成ステップと、
ＥＰＧを生成する第２の生成ステップと、
前記ＥＰＧを提供している放送局を示す情報を生成する第３の生成ステップと、
前記第１の生成ステップによって生成された前記画像信号に対して、前記第２の生成ステップによって生成されたＥＰＧと、前記第３の生成ステップによって生成された放送局を示す情報とを付加する付加ステップと、
前記付加ステップによって前記画像信号に対して前記ＥＰＧと放送局を示す情報とが付加された信号を前記受信側に対して送信する送信ステップと
を含む処理をコンピュータに実行させるためのプログラムを記録したコンピュータ読み取り可能な記録媒体。
【発明の詳細な説明】
【技術分野】
【０００１】
本発明は、送信装置、送信方法、および、記録媒体に関し、特に、ＥＰＧが付加された画像信号を送信する送信装置、送信方法、および、記録媒体に関する。
【背景技術】
【０００２】
近年、テレビ放送の放送信号に、例えば、ＥＰＧ（Electronic Program Guide）と呼ばれる情報を付加して送信し、各家庭の受信装置によってこれを受信して表示するシステムが知られるようになってきた。
【発明の開示】
【発明が解決しようとする課題】
【０００３】
ところで、このようなシステムにおいて、ＥＰＧを構成する番組情報を表示させる場合には、ユーザの指定した放送局順に、番組情報を表示させることが可能である。なお、このようなシステムとしては、北米の「StarSight」（サービスマーク）や「GuidePlus+」（サービスマーク）などが著名である。
【０００４】
しかしながら、例えば、特定の放送局が全ての放送局の番組情報を含むＥＰＧを送信している場合を考えると、受信側においては、この特定の放送局の番組情報は他の放送局の番組情報と同等に扱われるので、この特定の放送局が全ての番組情報を提供しているメリットを生じにくいという課題があった。
【０００５】
また、ユーザが所定の放送局の番組を視聴している場合に、その後に放送される番組を参照しようとした場合、最初に指定した放送局順に番組情報が表示されることから、所望の放送局の番組情報を見つけるまでに時間を要する場合があるという課題もあった。
【０００６】
本発明は、以上のような状況に鑑みてなされたものであり、番組情報を提供する提供者側の意向も反映した形で番組情報を表示するとともに、ユーザが利用しやすい形で番組情報を表示することを可能とするものである。
【課題を解決するための手段】
【０００７】
請求項１に記載の送信装置は、画像信号を生成する第１の生成手段と、ＥＰＧを生成する第２の生成手段と、ＥＰＧを提供している放送局を示す情報を生成する第３の生成手段と、第１の生成手段によって生成された画像信号に対して、第２の生成手段により生成されたＥＰＧと、第３の生成手段によって生成された放送局を示す情報とを付加する付加手段と、付加手段によって、画像信号に対してＥＰＧと放送局を示す情報とが付加された信号を受信側に対して送信する送信手段とを備えることを特徴とする。
【０００８】
請求項２に記載の送信方法は、画像信号を生成する第１の生成ステップと、ＥＰＧを生成する第２の生成ステップと、ＥＰＧを提供している放送局を示す情報を生成する第３の生成ステップと、第１の生成ステップによって生成された画像信号に対して、第２の生成ステップによって生成されたＥＰＧと、第３の生成ステップによって生成された放送局を示す情報とを付加する付加ステップと、付加ステップによって画像信号に対してＥＰＧと放送局を示す情報とが付加された信号を受信側に対して送信する送信ステップとを備えることを特徴とする。
【０００９】
請求項３に記載の記録媒体は、画像信号を生成する第１の生成ステップと、ＥＰＧを生成する第２の生成ステップと、ＥＰＧを提供している放送局を示す情報を生成する第３の生成ステップと、第１の生成ステップによって生成された画像信号に対して、第２の生成ステップによって生成されたＥＰＧと、第３の生成ステップによって生成された放送局を示す情報とを付加する付加ステップと、付加ステップによって画像信号に対してＥＰＧと放送局を示す情報とが付加された信号を受信側に対して送信する送信ステップとを備えるコンピュータプログラムを伝送する。
【００１０】
請求項１に記載の送信装置、請求項２に記載の送信方法、および、請求項３に記載の記録媒体においては、画像信号を生成し、ＥＰＧを生成し、ＥＰＧを提供している放送局を示す情報を生成し、生成された画像信号に対して、生成されたＥＰＧと、生成された放送局を示す情報とを付加し、画像信号に対してＥＰＧと放送局を示す情報とが付加された信号を受信側に対して送信する。例えば、テレビカメラなどにより画像信号を生成し、番組を示す情報であるＥＰＧを生成し、ＥＰＧを提供している放送局を示す情報を生成し、生成された画像信号に対して、生成されたＥＰＧと、生成された放送局を示す情報とを付加し、画像信号に対してＥＰＧと放送局を示す情報とが付加された信号を受信側に対してアンテナを介して送信する。
【発明の効果】
【００１１】
本発明によれば、ＥＰＧを提供している放送局に有利な表示形式により、ＥＰＧを受信装置に表示させることが可能となる。
【発明を実施するための最良の形態】
【００１２】
図１は、本発明の送信装置の実施の形態の構成例を示す図である。
【００１３】
この図において、テレビカメラ１は、被写体の光画像と音声を入力して、対応する画像信号と音声信号を生成して出力するようになされている。なお、以降では、画像信号に対して音声信号が付加された信号を単に画像信号と呼ぶことにする。
【００１４】
編集部２は、テレビカメラ１から出力された画像信号を記録するとともに、記録された複数の画像信号を適宜組み合わせて、１つの番組を構成する画像信号を生成するようになされている。
【００１５】
ＥＰＧ発生部４は、複数の放送局の番組情報から構成されるＥＰＧ（詳細は後述する）を生成して出力するようになされている。
【００１６】
提供局タグ発生部５は、ＥＰＧの提供者である放送局のタグ情報（例えば、「朝日」など）を発生するようになされている。
【００１７】
合成部３は、編集部２から出力された画像信号に対して、ＥＰＧ発生部４から出力されたＥＰＧと、提供局タグ発生部５から出力された提供局タグとを付加して出力するようになされている。
【００１８】
なお、合成部３は、例えば、画像信号の垂直帰線消去期間に、ＥＰＧと提供局タグとを重畳して出力する。
【００１９】
送信部６は、合成部３から出力された画像信号に応じて搬送波を変調するとともに、変調波の電力を増幅するようになされている。
【００２０】
アンテナ７は、送信部６から出力された搬送波を各家庭の受信装置に対して送信するようになされている。
【００２１】
次に、以上の実施の形態の動作について、図２に示すフローチャートを参照して説明する。
【００２２】
図２は、図１に示す送信装置において実行される処理の一例を説明するフローチャートである。
【００２３】
この処理のステップＳ１においては、テレビカメラ１から出力された画像信号が編集部２に供給されて一旦記録された後、所定の長さの番組となるように画像が編集されて合成部３に出力される。
【００２４】
ステップＳ２では、ＥＰＧ発生部４がＥＰＧを発生し、合成部３に供給する。続くステップＳ３では、提供局タグ発生部５が提供局のタグを発生して合成部３に供給する。
【００２５】
ステップＳ４では、編集部２から供給された画像信号に対して、ＥＰＧ発生部４から供給されたＥＰＧと、提供局タグ発生部５から供給された提供局タグとが付加される。即ち、合成部３は、先ず、ＥＰＧ発生部４から供給されたＥＰＧに対して、提供局タグ発生部５から供給された提供局タグを付加する。
【００２６】
図３は、提供局タグが付加されたＥＰＧの一例を示す図である。この図の例では、ＥＰＧの最初に、提供局タグである「朝日」が、情報の種類を示す２つの括弧の間に配置されている。即ち、情報の始まりとその種類を示す＜提供局タグ＞に続いて提供局タグ「朝日」が配置され、情報の終わりを示す＜／提供局タグ＞が配置されている。
【００２７】
続いて、各番組を示す放送ファイル１乃至放送ファイル６が配置されている。例えば、放送ファイル１では、情報の種類と始まりを示す＜放送ファイル１＞が配置され、その次に、放送日を示す＜放送日＞に続いて、放送ファイル１の放送日である１９９７．１２．２４．１６：００−１６：１０と、情報の終了を示す＜／放送日＞が配置されている。また、その次には、放送局を示す「総合」と番組名を示す「ＮＥＷＳ」がそれぞれ＜放送局＞＜／放送局＞と＜番組名＞＜／番組名＞の間に配置されている。以下、同様にして、放送ファイル２乃至放送ファイル６が配置されている。
【００２８】
このようにして、提供局タグが付加されたＥＰＧは、合成部３により、画像信号の、例えば、垂直帰線消去期間に重畳され、送信部６に出力されることになる。
【００２９】
ステップＳ５では、送信部６が、合成部３から供給された画像信号に応じて搬送波を変調するとともに、その電力を増幅してアンテナ７に供給して送信する。そして、処理を終了する（エンド）。
【００３０】
次に、以上のような送信装置によって送信された画像信号を受信する受信装置の構成例について説明する。
【００３１】
図４は、本発明の受信装置の実施の形態の構成例を示すブロック図である。
【００３２】
この図において、アンテナ２０は、送信側のアンテナ７により送信された電波を捕捉するようになされている。ＴＶチューナ２１は、アンテナ２０により捕捉された電波から所定の周波数（放送局）の信号を抽出し、復調することにより画像信号を抽出するとともに、画像信号に含まれているＥＰＧを抽出するようになされている。
【００３３】
タグ抽出部２２は、ＴＶチューナ２１により抽出されたＥＰＧに含まれているタグ（提供局タグ）を抽出し、得られたタグとＥＰＧとを出力するようになされている。
【００３４】
フレームメモリ２３は、ＴＶチューナ２１から出力される画像信号と、制御部２５から出力されるＥＰＧとを合成するか、または、何れか一方を選択してＣＲＴ（Cathode Ray Tube）２４に表示出力するようになされている。
【００３５】
ＣＲＴ２４は、フレームメモリ２３から出力される画像信号を表示出力するようになされている。
【００３６】
制御部２５は、装置の各部を制御するＣＰＵ２５ａ、ＣＰＵ２５ａが実行する所定のプログラムやデータを格納しているＲＯＭ２５ｂ、ＣＰＵ２５ａが所定の演算を行う際に演算途中のデータやプログラム等を格納するＲＡＭ２５ｃ、および、外部の装置との間でデータを授受する際にデータの形式を変換するインタフェース（ＩＦ）２５ｄにより構成されている。
【００３７】
入力部２６は、ユーザが所定の入力（例えば、受信チャンネルを選択するための入力）を行う際に操作されるようになされている。
【００３８】
なお、以上の実施の形態では、ＴＶチューナ２１により受信された画像信号に含まれている音声信号を再生する増幅器やスピーカ等は、説明を簡略化するため省略してある。
【００３９】
次に、以上の実施の形態の動作について、図５に示すフローチャートを参照して説明する。
【００４０】
図５は、図４に示す制御部２５において実行される処理の一例を説明するフローチャートである。
【００４１】
図５に示す処理が実行されると、ステップＳ１０において、制御部２５のＣＰＵ２５ａは、ＥＰＧを表示する所定の入力が入力部２６よりなされたか否かを判定する。その結果、所定の入力がなされていない（ＮＯ）と判定した場合には、ステップＳ１０に戻り、所定の入力がなされるまで同様の処理を繰り返す。また、所定の入力がなされた（ＹＥＳ）と判定した場合には、ステップＳ１１に進む。
【００４２】
ステップＳ１１では、ＣＰＵ２５ａは、タグ抽出部２２により抽出されたタグ（例えば、「朝日」など）を参照し、ＥＰＧを提供している放送局を特定する。そして、ステップＳ１２に進む。
【００４３】
ステップＳ１２では、ＣＰＵ２５ａは、タグ抽出部２２から供給されるＥＰＧの中から、提供局タグに対応する放送局の番組情報を抽出する。
【００４４】
いま、提供局タグが「朝日」であるとすると、抽出される番組情報としては、図３に示す放送ファイル６が抽出される。なお、このような番組情報は、例えば、一日分だけ送信されているので、ステップＳ１２の処理では、放送ファイル６以外にも複数の放送ファイルが抽出されることになる。
【００４５】
ステップＳ１３では、ＣＰＵ２５ａは、ステップＳ１２において抽出された提供局タグに対応する放送局の番組情報（放送ファイル）が最上行になるようにフレームメモリ２３に時間順に配置する。
【００４６】
そして、ステップＳ１４では、ＣＰＵ２５ａは、その他の番組情報（提供タグに対応する放送局以外の放送局の番組情報）をチャンネル順にフレームメモリ２３に配置する。
【００４７】
図６は、ステップＳ１３，Ｓ１４の処理の結果、ＣＲＴ２４に表示される画像の表示例を示す図である。この図の例では、提供局タグ「朝日」に対応する番組である、「水曜サスペンス」、「料理」、および、「さすらい刑事感情編」が拡大されるとともに背景色が変更されて最上行に表示されている。その下には、「総合」放送の番組である「Ｎｅ（ＮＥＷＳ）」と「朝が参りました」が表示されている。その下には、「教育」放送および「日本」放送の番組情報が前述の場合と同様の形式で表示されている。
【００４８】
なお、以上のような処理（提供局タグに応じた表示変更処理）がなされない場合には、図７に示すような表示がなされることになる。即ち、この表示例においては、各放送局の番組情報がそのチャンネル順（総合（１チャンネル）、教育（３チャンネル）、日本（４チャンネル）、東京（６チャンネル）、フジ（８チャンネル）、朝日（１０チャンネル））に表示されており、また、全ての放送局の情報が同様の表示形式で表示されている。
【００４９】
図５に戻って、ステップＳ１５では、ＣＰＵ２５ａは、ＥＰＧの表示を終了する所定の入力が入力部２６からなされたか否かを判定する。その結果、所定の入力がなされていない（ＮＯ）と判定した場合には、ステップＳ１５に戻り、入力がなされるまで同様の処理を繰り返す。また、所定の入力がなされた（ＹＥＳ）と判定した場合には処理を終了する（エンド）。
【００５０】
以上の実施の形態によれば、送信側において、ＥＰＧを提供している放送局を示す提供局タグを画像信号に付加して送信し、受信側において提供局タグに対応する放送局の番組情報を最上行に表示するとともに、この番組情報を強調して表示するようにしたので、ユーザがこの放送局の番組を視聴する確率を向上させることができる。
【００５１】
なお、以上の実施の形態においては、図６に示すように、番組情報の一部を表示するようにしたが、図７と同様に、全ての番組情報を表示するようにしてもよいことは勿論である。
【００５２】
また、ＥＰＧを提供している放送局が２局ある場合には、２種類の提供局タグが送信されてくるので、そのようなときには、例えば、図８に示すように、これらの２局に対応する番組情報を最上行に強調して表示するようにしてもよい。
【００５３】
図９は、本発明の受信装置の第２の実施の形態の構成例を示すブロック図である。なお、この図において、図４と対応する部分には同一の符号を付してあるのでその説明は省略する。
【００５４】
この実施の形態においては、図４の場合と比較して、タグ抽出部２２が除外されている。また、制御部２５のＲＯＭ２５ｂには、図１１に示す周波数とチャンネルＩＤの対応テーブルが格納されている。その他の構成は、図４に示す場合と同様である。
【００５５】
次に、図９に示す実施の形態の動作について図１０に示すフローチャートを参照して説明する。
【００５６】
図１０は、図９に示す制御部２５において実行される処理の一例を説明するフローチャートである。
【００５７】
この処理が実行されると、ステップＳ２０において、ＣＰＵ２５ａは、ＥＰＧを表示する所定の入力が入力部２６よりなされたか否かを判定する。その結果、所定の入力がなされていない（ＮＯ）と判定した場合にはステップＳ２０に戻り、入力がなされるまで同様の処理を繰り返す。また、所定の入力がなされた（ＹＥＳ）と判定した場合にはステップＳ２１に進む。
【００５８】
ステップＳ２１では、ＣＰＵ２５ａは、ＴＶチューナ２１が現在受信している信号の周波数を取得する。そして、ステップＳ２２に進み、取得した周波数に対応する放送局ＩＤをＲＯＭ２５ｂから検索する。
【００５９】
図１１は、ＲＯＭ２５ｂに格納されている、周波数と放送局（チャンネル）ＩＤの対応関係を示すテーブルの一例を示している。この例では、周波数９０乃至９６ＭＨｚが総合放送に対応しており、以下順に、１０２乃至１０８ＭＨｚが教育放送、１７０乃至１７６ＭＨｚが日本放送、１８２乃至１８８ＭＨｚが東京放送、１９２乃至１９８ＭＨｚがフジ放送、および、２０４乃至２１０ＭＨｚが朝日放送に対応していることが示されている。
【００６０】
いま、ＴＶチューナ２１の受信周波数が、例えば、２０７ＭＨｚである場合には、ＣＰＵ２５ａは、放送局（チャンネル）ＩＤとして「朝日」を取得することになる。
【００６１】
ステップＳ２３では、ＣＰＵ２５ａは、ＴＶチューナ２１から供給されるＥＰＧデータから、ステップＳ２２において取得した放送局ＩＤに対応する番組情報を抽出する。そして、ステップＳ２４に進む。
【００６２】
ステップＳ２４では、ＣＰＵ２５ａは、ステップＳ２３において抽出した番組情報をフレームメモリ２３の所定の領域に拡大して書き込むことにより、ＣＲＴ２４の最上行に表示させる。そして、ステップＳ２５に進む。
【００６３】
ステップＳ２５では、ＣＰＵ２５ａは、ＴＶチューナ２１により抽出されたＥＰＧに含まれている図示せぬ付加情報を、ＣＲＴ２４の最上行の次の行に表示させる。なお、この付加情報は、例えば、番組のタイトル、番組の内容、または、出演者などに関する情報である。
【００６４】
そして、ステップＳ２６に進み、その他の番組情報（現在受信されている放送局以外の番組情報）をＣＲＴ２４に、そのチャンネル順に表示させる。
【００６５】
図１２は、ステップＳ２４乃至Ｓ２６の処理の結果、ＣＲＴ２４に表示される画面の表示例を示している。この表示例では、「朝日」放送に対応する番組情報（現在受信されている放送局に対応する番組情報）が画面の最上行に表示されている。また、番組名（「水曜サスペンス」、「料理」、および、「さすらい刑事感情編」）の下には、番組のタイトル（「密会の殺人事件」および「資産家消えた」）や番組の内容「かにの蒸し」や出演者（（中尾嘉代、森下レオ、松島真一、吉田和子）および（西田まこと））などが表示されている。朝日放送の下には、他の放送局（またはチャンネル）である「総合」放送、「教育」放送、および、「日本」放送の番組情報が順番に表示されている。
【００６６】
以上の実施の形態によれば、現在受信している放送局の番組情報が最上行に表示されるので、現在視聴中の放送局の番組をユーザが即座に参照することが可能となる。
【００６７】
図１３は、本発明の受信装置の第３の実施の形態の構成例を示すブロック図である。なお、この図において、図４の場合と対応する部分には、同一の符号が付してあるのでその説明は省略する。
【００６８】
図１３の実施の形態においては、図４の場合と比較して、タグ抽出部２２が除外されており、また、優先局タグ発生部３０が新たに追加されている。その他の構成は図４に示す場合と同様である。
【００６９】
優先局タグ発生部３０は、受信装置を製造または販売しているメーカと提携している放送局を示すタグ（例えば、「朝日」）を発生するようになされている。
【００７０】
次に、以上の実施の形態の動作について、図１４に示すフローチャートを参照して説明する。
【００７１】
この処理が実行されると、ステップＳ４０において、制御部２５のＣＰＵ２５ａは、入力部２６からＥＰＧを表示する所定の入力がなされたか否かを判定する。その結果、所定の入力がなされていない（ＮＯ）と判定した場合には、ステップＳ４０に戻り、所定の入力がなされるまで同様の処理を繰り返す。また、所定の入力がなされた（ＹＥＳ）と判定した場合にはステップＳ４１に進む。
【００７２】
ステップＳ４１では、ＣＰＵ２５ａは、優先局タグ発生部３０から出力される優先局タグを取得する。そして、ステップＳ４２に進み、ＣＰＵ２５ａは、ＴＶチューナ２１から出力されるＥＰＧデータの中から、優先局タグに対応する番組情報を抽出する。
【００７３】
ステップＳ４３では、ＣＰＵ２５ａは、ステップＳ４２において抽出した番組情報をフレームメモリ２３の所定の領域に拡大して書き込むことにより、ＣＲＴ２４の最上行に強調して表示させる。そして、ステップＳ４４では、ＣＰＵ２５ａは、その他の番組情報をそのチャンネル順にＣＲＴ２４に表示させる。
【００７４】
いま、「朝日」放送がこの受信装置を製造しているメーカと提携しているとし、また、優先局タグ発生部３０は、優先局タグとして「朝日」を発生しているとすると、ステップＳ４３およびステップＳ４４の表示処理の結果、例えば、図６に示すような画面がＣＲＴ２４に表示されることになる。その結果、この受信装置を製造しているメーカと提携している放送局の番組が視聴される確率を向上させることが可能となる。
【００７５】
なお、以上の実施の形態においては、アナログの地上波放送を例に挙げて説明したが、本発明は、このような場合のみに限定されるものではなく、例えば、衛星放送やディジタル放送、または、ケーブルテレビなどにも適用可能であることはいうまでもない。
【００７６】
また、明細書中において、伝送媒体は、ＦＤ，ＣＤ−ＲＯＭなどの情報記録媒体の他、インターネット、ディジタル衛星などのネットワーク伝送媒体も含まれる。
【図面の簡単な説明】
【００７７】
【図１】本発明の送信装置の実施の形態の構成例を示す図である。
【図２】図１に示す実施の形態において実行される処理の一例を説明するフローチャートである。
【図３】提供局タグが付加されたＥＰＧの一例を示す図である。
【図４】本発明の受信装置の実施の形態の構成例を示すブロック図である。
【図５】図４の実施の形態において実行される処理の一例を説明するフローチャートである。
【図６】図５に示すフローチャートを実行した結果、ＣＲＴ２４に表示される画面の表示例である。
【図７】通常に表示されたＥＰＧの表示例を示す図である。
【図８】図５に示すフローチャートを実行した結果、ＣＲＴ２４に表示される画面の他の表示例である。
【図９】本発明の受信装置の第２の実施の形態の構成例を示すブロック図である。
【図１０】図９の実施の形態において実行される処理の一例を説明するフローチャートである。
【図１１】図９のＲＯＭ２５ｂに格納されている、受信周波数とチャンネルＩＤとの対応関係を示すテーブルである。
【図１２】図１０に示すフローチャートを実行した結果、ＣＲＴ２４に表示される画面の表示例である。
【図１３】本発明の受信装置の第３の実施の形態の構成例を示すブロック図である。
【図１４】図１３に示す実施の形態において実行される処理の一例を説明するフローチャートである。
【符号の説明】
【００７８】
２  編集部，  ３  合成部，  ４  ＥＰＧ発生部，  ５  提供局タグ発生部，  ６  送信部，  ２１  ＴＶチューナ，  ２３  フレームメモリ，  ２５ａ  ＣＰＵ，  ３０  優先局タグ発生部
【図１】
0004586818.tif 000002
【図２】
0004586818.tif 000003
【図３】
0004586818.tif 000004
【図４】
0004586818.tif 000005
【図５】
0004586818.tif 000006
【図６】
0004586818.tif 000007
【図７】
0004586818.tif 000008
【図８】
0004586818.tif 000009
【図９】
0004586818.tif 000010
【図１０】
0004586818.tif 000011
【図１１】
0004586818.tif 000012
【図１２】
0004586818.tif 000013
【図１３】
0004586818.tif 000014
【図１４】
0004586818.tif 000015